(57)【特許請求の範囲】
【請求項１】
レンズ前駆体の表面に加工後のレンズの外郭形状と一致する形状でけがき線を形成するとともに、同けがき線と同一又は近似した外郭形状のパッド体を同けがき線に沿って同レンズ表面に貼着し、前記被加工レンズを同けがき線位置において表裏から挟持部材によって挟持しながら同パッド体の外周に沿って前記けがき線から外寄り部分を欠き取っていき、レンズ外周縁に凹凸状の粗面を形成するようにしたことを特徴とする眼鏡用レンズの製造方法。
【請求項２】
前記挟持部材によって前記パッド体の外周に沿って前記けがき線から外寄り部分を欠き取る際に同パッド体の外周縁を案内面として除去していくことを特徴とする請求項１に記載の眼鏡用レンズの製造方法。
【請求項３】
前記被加工レンズの表面に形成された前記けがき線は前記パッド体の外周縁よりも僅かに外方に位置していることを特徴とする請求項１又は２に記載の眼鏡用レンズの製造方法。
【請求項４】
前記パッド体は欠き取り時に前記被加工レンズ方向に押圧されていることを特徴とする請求項請求項１〜３のいずれかに記載の眼鏡用レンズの製造方法。
【請求項５】
前記被加工レンズの表面に貼着された前記パッド体の貼着面は同レンズの曲面形状と同一又は近似したカーブで形成されていることを特徴とする請求項１〜４のいずれかに記載の眼鏡用レンズの製造方法。
【発明の詳細な説明】
【技術分野】
【０００１】
本発明はリムの一部あるいは全部がなくレンズの縁部分が露出するタイプの眼鏡に使用されるレンズの製造方法に関するものである。
【背景技術】
【０００２】
近年、いわゆるツーポイントフレームやリムレスフレームと呼称されるリムの一部あるいは全部がなくレンズの縁（コバ）が露出するタイプの眼鏡が多く見られるようになってきている。このようなツーポイントフレームやリムレスフレームの眼鏡の一例として特許文献１を挙げる。
これらのような眼鏡ではリムがないことによって露出したレンズの縁はリム取り付けのためのヤゲン加工は行われずレンズ角部を面取りして必要に応じてバフ掛け処理をするというのが一般的である。また、これらの眼鏡ではデザインは通常の眼鏡と異なりリムの一部あるいは全部がないことから特殊なフレーム（例えば、ブリッジやテンプルのみでフレーム部分を構成するような）を採用することとなり、そのためファッション性が高い眼鏡であるとされている。
【特許文献１】特開平６−３４７７２５号公報
【発明の開示】
【発明が解決しようとする課題】
【０００３】
ところで、このような眼鏡におけるデザイン設計はあくまでフレームの形状やレンズの色・形状に終始しているため、そのレンズの縁が露出するという特殊性を生かしたデザインの創出が望まれていた。
本発明は、このような従来の技術に存在する問題点に着目してなされたものである。その目的は、リムの一部あるいは全部がなくレンズの縁が露出するタイプの眼鏡用のレンズにおいて従来にない斬新なデザインのレンズの製造方法を提供することにある。
【課題を解決するための手段】
【０００４】
上記課題を解決するために請求項１の発明では、レンズ前駆体の表面に加工後のレンズの外郭形状と一致する形状でけがき線を形成するとともに、同けがき線と同一又は近似した外郭形状のパッド体を同けがき線に沿って同レンズ表面に貼着し、前記被加工レンズを同けがき線位置において表裏から挟持部材によって挟持しながら同パッド体の外周に沿って前記けがき線から外寄り部分を欠き取っていき、レンズ外周縁に凹凸状の粗面を形成するようにしたことをその要旨とする。
また請求項２の発明では請求項１の発明の構成に加え、前記挟持部材によって前記パッド体の外周に沿って前記けがき線から外寄り部分を欠き取る際に同パッド体の外周縁を案内面として除去していくようにしたことをその要旨とする。
また請求項３の発明では、請求項１又は２の発明の構成に加え、前記被加工レンズの表面に形成された前記けがき線は前記パッド体の外周縁よりも僅かに外方に位置するようにしたことをその要旨とする。
また請求項４の発明では請求項１〜３のいずれかの発明の構成に加え、前記パッド体は欠き取り時に前記被加工レンズ方向に押圧されていることをその要旨とする。
また請求項５の発明では請求項１〜４のいずれかの発明の構成に加え、前記被加工レンズの表面に貼着された前記パッド体の貼着面は同レンズの曲面形状と同一又は近似したカーブで形成されるようにしたことをその要旨とする。
【０００５】
上記のような構成の乱視矯正眼鏡レンズでは、レンズ前駆体の表面に加工後のレンズの外郭形状と一致する形状のけがき線に沿ってパッド体をレンズ表面に貼着する。次いで、レンズを同けがき線位置において表裏から挟持部材によって挟持し、けがき線から外寄り部分を欠き取る。つまり、挟持部材によって強く挟んだ際の剪断荷重や圧縮荷重、更に挟持位置を基部として曲げたりする場合の曲げ荷重等によってけがき線位置において応力集中が生じるため、概ねこのけがき線位置においてレンズの厚さ方向に沿って破壊され外寄り部分を欠き取ることができる。この欠き取った後の縁部分は滑らかにはならず凹凸状の粗面となる。けがき線から内側にはパッド体が貼着されてレンズを押さえて補強しているため内側方向まで破壊が及ぶことはなく、パッド体の外周縁を案内面として除去していくと凹凸状の粗面がちょうどけがき線位置に形成されることとなる。
次いで、このようにして加工されたレンズ表面からパッド体を取り外し、所望によって粗面をバフ掛けをしたり、面取り加工したり、レンズにブリッジや丁番を取り付けるための孔を穿設したりする。
【０００６】
ここに、パッド体はけがき線と同一又は近似した形状であることが必要である。但し、パッド体の全周がけがき線と同一又は近似した形状とする必要はない。例えばレンズの下半分のみを本発明を適用して加工する場合にはレンズの下半分のみをけがくようにして、上半分にはけがき線を入れないような構成でも構わない。
また、けがき線を目視できるようにするためけがき線は前記パッド体の外周縁よりも僅かに外方に位置させるようにしてもよい。
パッド体の貼着面は同レンズの曲面形状と同一又は近似したカーブで形成されることが密着性の観点から好ましい。但し、パッド体がレンズ表面に貼着される際に間に介在される接着部の厚みが十分あればカーブの違いから生じる隙間はその接着部の厚みで吸収されることとなるため、必ずしも同一又は近似したカーブで形成する必要はない。
また、パッド体はレンズ表面にしっかりと固定できれば必ずしもパッド体全面がレンズ表面に貼着されている必要はない。但し、両者が密着しているほうがよりレンズの強度（割れ難さ）が向上するため好ましく、更に、パッド体をレンズ表面に向かって押圧することがより好ましい。
けがき線はけがき用工具、例えばナイフ、バイト、ドリル等を使用してレンズ表面をごく浅い切込み量で切削することで形成される。けがき作業は人が実際にナイフ、ピック、キサゲのようなけがき用工具でけがく場合やＮＣ装置を備えた工作機械等を使用する場合の両方を含む。
挟持部材によってけがき線位置において表裏から挟持する際には挟持部材のレンズ面との接触位置はけがき線位置より内側に入ることはない。また、挟持部材は剪断及び圧縮荷重を与えることのできる刃体から構成され、この刃がけがき線位置付近でレンズ面と接触することが好ましい。
挟持部材によるけがき線から外寄り部分の除去はパッド体の外周縁を案内面として加工することが好ましい。つまり、挟持部材の一部をパッド体の外周縁に当接させ、挟持部材を外周縁に沿って移動させることで正確かつ迅速に加工することが可能となる。
【発明の効果】
【０００７】
上記各請求項の発明では、リムの一部あるいは全部がなくレンズの縁が露出するタイプの眼鏡用のレンズにおいて縁部分に研削加工では実現できない凹凸状の粗面を形成することが可能となるため、この種の眼鏡において従来にない斬新なデザインのレンズを提供することが可能となる。
【発明を実施するための最良の形態】
【０００８】
以下、本発明の具体的な実施の形態としてプラスチックレンズの製造方法について図面に基づいて説明する。
本実施の形態は図５のような工程で製造される。以下各工程について順に説明する。
＜けがき工程＞
図１（ａ）に示すように、まず、マイナス度数の入ったいわゆる丸レンズ（度数に応じた加工がすでに施されフレーム形状に応じた加工をするだけになったレンズ）１の表面に対してけがき線２を入れる。けがき線２は加工後のレンズＬの外郭形状と一致する形状とされる。本実施の形態ではけがき線２はレンズＬの外郭形状のデータに基づいてマシニングセンタのようなＮＣ装置が併設された加工機を使用してバイトによって切削するものとする。ここに、本実施の形態の丸レンズ１はベースカーブを表面側に設定し、所定の度数を裏面側で加工したプラスチック製のレンズとされる。
＜研削工程＞
図１（ｂ）に示すように、けがき線２の外側に若干の余裕（本実施の形態では１０ｍｍとする）を残すように丸レンズ１をレンズＬの外郭形状のデータに基づいて公知の研削装置によって研削する。これによって切断刃６を使っての後述の欠き取り工程での作業がしやすくなる。研削後の状態をレンズ前駆体ＢＬとする。レンズ前駆体ＢＬにおいてけがき線２の外側の周縁部分を除去部５とする。
【０００９】
＜パッドレンズの貼り付け＞
図１（ｃ）及び（ｄ）に示すように、レンズ前駆体ＢＬの表面に加工後のレンズＬの外郭形状と一致するパッド体としてのパッドレンズ３をけがき線２に沿って貼着する。パッドレンズ３は透明なメニスカス型のレンズであって、その裏面は本実施の形態ではレンズ前駆体ＢＬ（丸レンズ１）のベースカーブと同曲率で構成されている。パッドレンズ３の裏面には両面テープ４が貼着されており、両面テープ４の粘着力でパッドレンズ３はレンズ前駆体ＢＬに密着して固定されることとなる。両面テープ４は２００μｍ程度の厚みを有しており、パッドレンズ３とレンズ前駆体ＢＬとの間のクッションの役割を兼ねる。
【００１０】
＜レンズ周縁の除去＞
図１（ｅ）、図２及び図３に示すように、挟持部材としての切断刃６によって除去部５を欠き取っていく。本実施の形態では切断刃６のみを図示する。切断刃６の作動手段としては、てこの源理を利用した手動工具、例えばニッパ、ペンチ等でもよく、切断刃６をアクチュエータとする加工機であってもよい。
切断刃６は図３に示すように前部がパッドレンズ３の外周縁に当接し、この外周縁を案内面として矢印方向に向かって欠き取っていく。パッドレンズ３はレンズ前駆体ＢＬに対して所定の荷重で押圧させられる。
この時、図２（ａ）に示すように、切断刃６の刃体６ａ，６ｂはけがき線２位置においてレンズ前駆体ＢＬを表裏から挟持し、両刃体６ａ，６ｂを互いに接近させるように強くレンズ前駆体ＢＬを圧縮することによってけがき線２位置において剪断及び圧縮荷重を与える。すると、けがき線２位置において応力集中によって図２（ｂ）に示すように除去部５が欠き取られる。また、けがき線２よりも内側はパッドレンズ３によって補強されていることとけがき線２があることから欠き取りによって生じる亀裂がけがき線２から内側方向に入ることはない。これによってレンズ前駆体ＢＬの周縁部に凹凸状の粗面７が形成されることとなる。
【００１１】
＜パッドレンズの取り外し及びバフ掛け＞
けがき線２の全周について除去部５を欠き取った後、パッドレンズ３及び両面テープ４を取り除き図４に示すように周縁部と表裏面との角部分に面取り部８を研削し、最後に粗面７にバフ掛けをして図１（ｆ）に示すいわゆる玉型加工されたレンズＬが完成する。
このような工程で製造したレンズＬには目頭寄りと目尻寄りにそれぞれパッド一体型のブリッジ１１用と丁番１２用の小孔１３が穿設される。そして、図５及び図６に示すように、２枚のレンズＬをブリッジ１１によって連結するとともに丁番１２を取り付け、更にテンプル１４を取り付けていわゆるツーポイントフレームの眼鏡が完成する。
【００１２】
上記のような実施の形態の構成によって次のような効果が奏される。
（１）レンズＬの露出された周縁は従来のようなきれいに研削された平滑な面ではなく、凹凸状の粗面７とされるため、レンズＬの周縁に光が乱反射することによって従来にないデザイン上の効果が得られる。
（２）けがき線２とパッドレンズ３を用いることでレンズＬの露出された周縁に凹凸状の粗面７を形成するに際して、レンズの外郭形状に正確をなぞりながらも凹凸状に粗く形成するという特殊な加工を実現することが可能となった。
（３）パッドレンズ３はレンズＬに対して押圧されるため、けがき線２内のレンズＬの強度を向上されけがき線２があることとも相まって欠き取りによって生じる亀裂がけがき線２から内側方向に入ることがない。
（４）パッドレンズ３はレンズＬに対してある程度の厚みのある両面テープ４によって貼着されるためパッドレンズ３とレンズＬの対向する面同士の曲率が若干異なって両者間に隙間が生じることとなっても両面テープ４によってその隙間が埋められてがたつき等の曲率の違いによって生じる不具合が解消される。
（５）パッドレンズ３をレンズＬに貼着させる際になるべく両者の対向する面は同じあるいは類似カーブであることが隙間ができずしっかりと密着させることができるために好ましい。
ここに、ベースカーブが同じレンズＬであれば近視度数が異なってもベースカーブ側（表面側）は常に同じカーブとされる。パッドレンズ３をレンズＬに密着させることに関し、上記実施の形態ではパッドレンズ３はレンズＬのベースカーブ側に貼着されるようにしているためパッドレンズ３の種類はベースカーブのカーブの種類だけ用意すれば足りることとなり多くのパッドレンズ３を用意する必要がなくなる。
【００１３】
尚、この発明は、次のように変更して具体化することも可能である。
・上記実施の形態ではけがき線は加工機を使用してバイトによって切削するということであったが、けがき工程前に先にレンズ前駆体ＢＬの表面にパッドレンズ３を貼着し、パッドレンズ３の外形に倣ってナイフ、ピック、キサゲのような道具でけがき線をけがくようにしても構わない。
・パッド体としてパッドレンズ３を使用したが、レンズ以外の材料でパッド体を構成することも自由である。
・上記実施の形態ではパッドレンズ３とレンズＬとの貼着面は同じカーブとされていたが、必ずしも同じカーブでなくとも構わない。
・上記実施の形態ではプラスチックレンズについての製造方法を一例として説明したが、・レンズＬの全周に粗面７を形成しなくとも一部でもよい。
・ガラス製レンズに応用することも自由である。
・本発明はレンズの光学特性について限定するものではなく、プラス度数レンズや累進屈折力レンズに応用することは自由である。
・その他、本発明の趣旨を逸脱しない態様で実施することは自由である。
【図面の簡単な説明】
【００１４】
【図１】（ａ）〜（ｆ）は本発明の実施の形態の製造工程を説明する説明図。
【図２】同じ実施の形態において（ａ）は切断刃によってレンズ前駆体を表裏から挟持した状態の説明図、（ｂ）は同じく除去部を欠き取った瞬間の説明図。
【図３】同じ実施の形態において切断刃によって欠き取っている状態の説明図。
【図４】レンズの部分拡大断面図。
【図５】本発明の実施の形態の工程を説明するブロック図。
【図６】本実施の形態によって製造したレンズを使用した眼鏡の分解正面図。
【図７】同じ眼鏡の一部省略平面図。
【図８】同じ眼鏡の斜視図。
【符号の説明】
【００１５】
２…けがき線、３…パッド体としてのパッドレンズ、７…粗面、Ｌ…加工後のレンズ、ＢＬ…レンズ前駆体。
【図１】
0004688659.tif 000002
【図２】
0004688659.tif 000003
【図３】
0004688659.tif 000004
【図４】
0004688659.tif 000005
【図５】
0004688659.tif 000006
【図６】
0004688659.tif 000007
【図７】
0004688659.tif 000008
【図８】
0004688659.tif 000009